(57)【要約】      （修正有）【課題】１６ｍｍ用,１７．５ｍｍ用,１９ｍｍ用の３種類のものが１組の部品で対応出来る浄水器用固定リングを提供する。【解決手段】テーパー状の貫通穴１１を有する段付きリング１と、該段付きリング１の貫通穴１１に嵌合可能で且つ内径が伸縮可能である円錐台状の円環２とから構成する。また円環２の少なくとも上部内周には、蛇口の先端を押えるための爪部２１を設けると共に円環２の側面全体には、上方を開口する上溝２２と下方を開口する下溝２３が交互に穿設されたものとすると良い。【選択図】図１
0003131260.tif 000002
【実用新案登録請求の範囲】
【請求項１】
浄水器（４）を蛇口（３）に取付ける際に用いるものであり、テーパー状の貫通穴（11）を有する段付きリング（１）と、該段付きリング（１）の貫通穴（11）に嵌合可能で且つ内径が伸縮可能である円錐台状の円環（２）とから構成されたことを特徴とする浄水器用固定リング。
【請求項２】
前記円環（２）の少なくとも上部内周には、前記蛇口（３）の先端を押えるための爪部（21）を設けると共に、前記円環（２）の側面全体には、上方を開口する上溝（22）と下方を開口する下溝（23）が交互に穿設された請求項１記載の浄水器用固定リング。
【請求項３】
前記円環（２）が合成樹脂製である請求項１又は２記載の浄水器用固定リング。
【考案の詳細な説明】
【技術分野】
【０００１】
本考案は浄水器を蛇口に取付ける際に用いる取付部材の１つである固定リングに関し、特には蛇口の複数の太さに対応できる浄水器用固定リングに関する。
【背景技術】
【０００２】
図４は従来の浄水器用固定リング（１'）が使用されて、浄水器（４）を蛇口（３）に取付ける際に用いられる取付部材を示す図であり、一般に浄水器（４）が市販されている付属品としての浄水器用固定リング（１'）は、丸パイプの蛇口（３）の太さが１６ｍｍ用と、１７．５ｍｍ用と、１９ｍｍ用の３種類のものを揃えている。このため、例えば１６ｍｍの蛇口（３）に浄水器（４）を取付ける際には、１６ｍｍ用だけが使用され、他の２個は使用しないので、廃棄処分されているのが現状である。
【０００３】
尚、この浄水器（４）を前記蛇口（３）に取付ける場合には、先ず始めに蛇口（３）のパイプ径を測り、使用する固定リング（１'）を選んでおく。先ず取付ナット（７）と固定リング（１'）を浄水器（４）の取付部（41）から外す。次に取付ナット（７）を蛇口（３）に挿入させると共に、所定パイプ径用の固定リング（１'）を用意し、且つそのスリ割りを開いて蛇口（３）の先端に設けた膨張部（31）に嵌め込む。その後、浄水器（４）を蛇口（３）に近付け、固定リング（１'）の下端をパッキン（６）に接触させてから、蛇口（３）に挿入させた取付ナット（７）を取付部（41）のネジ部に螺合させて締め込むと、固定リング（１'）が下方に押されて前記膨張部（31）の下面でパッキン（６）を押圧することにより、浄水器（４）が水漏れしないように蛇口（３）に取付けられるのである。
【特許文献１】なし
【考案の開示】
【考案が解決しようとする課題】
【０００４】
本考案は１６ｍｍ用,１７．５ｍｍ用,１９ｍｍ用の３種類のものが１組の部品で対応出来る浄水器用固定リングを提供することを目的とする。
【課題を解決するための手段】
【０００５】
本考案は上記現状に鑑み成されたものであり、つまり、テーパー状の貫通穴を有する段付きリングと、該段付きリングの貫通穴に嵌合可能で且つ内径が伸縮可能である円錐台状の円環とから構成する。また前記円環の少なくとも上部内周には、蛇口の先端を押えるための爪部を設けると共に円環の側面全体には、上方を開口する上溝と下方を開口する下溝が交互に穿設されたものとすると良く、前記円環を合成樹脂で成型するのが好ましい。
【考案の効果】
【０００６】
請求項１のようにテーパー状の貫通穴（11）を有する段付きリング（１）と、該段付きリング（１）の貫通穴（11）に嵌合可能で且つ内径が伸縮可能である円錐台状の円環（２）とから構成することにより、円錐台状の円環（２）の外周をテーパー状の貫通穴（11）で下方に押されて内側に収縮するため、１６ｍｍ用,１７．５ｍｍ用,１９ｍｍ用の３種類の蛇口（３）に対して密着可能なものとなり、従来の如き３種類用意して残りの２つの固定リングが捨てられることがなくなることで、資源の無駄がなくなると共に付属品のコストダウンが可能となる。
【０００７】
請求項２のように円環（２）の少なくとも上部内周には、蛇口（３）の先端を押えるための爪部（21）を設けると共に、円環（２）の側面全体に上溝（22）と下溝（23）を交互に穿設させることにより、円環（２）の上下端部が伸縮可能なものとなるため、円環（２）の内径がより多くの範囲で伸縮可能となり、それが蛇口（３）の外周に密着できるものとなり、浄水器（４）を安易に蛇口（３）へ取付けても、確実に蛇口（３）を捉えて水漏れしない取付けが可能となる。
【０００８】
請求項３に示すように円環（２）を合成樹脂で成型することにより、複雑な形状であっても、大量生産性が可能なものとなり、安価に提供できるものとなる。
【考案を実施するための最良の形態】
【０００９】
図１は本考案の実施形態を示す図であり、これに基づき説明する。(１)は中心にテーパー状の貫通穴（11）を有する合成樹脂製，金属製などの段付きリングである。（２）は段付きリング（１）の貫通穴（11）に嵌合可能で且つ内径が伸縮可能である円錐台状の円環であり、該円環（２）の上部内周には、蛇口（３）の外周及び膨張部（31）の上部を押えるための爪部（21）が多数設けられていると共に、前記円環（２）の側面全体には、上方を開口する上溝（22）と下方を開口する下溝（23）が交互に穿設されている。また前記円環（２）の下部内周には段部（24）が設けられている。尚、前記上溝（22）は爪部（21）の上方から切込まれ、前記下溝（23）は円環（２）の下方から切込まれている。又、前記円環（２）の外周面は、貫通穴（11）のテーパー角度と同じに形成されている。前記円環（２）の材質としては、ポリプロピレンなどの合成樹脂で成型するのが好ましいが、これに限定されるものではない。（３）は丸パイプで先端に膨張部（31）が設けられている蛇口であり、（４）は直接蛇口（３）に取付けるタイプの市販されている浄水器であり、該浄水器（４）の上面には、外周にネジ部を有した取付部（41）があり、浄水器（４）の下面には浄水口（42）が少なくとも設けられ、更に側面には切替ツマミ（43）が設けられている。（５）はネットで、（６）はパッキンで、（７）は取付ナットである。
【００１０】
次に本考案品を用いて浄水器（４）が蛇口（３）に取付けられる場合について説明する。先ず始めに、従来と同様に、取付ナット（７）と段付きリング（１）及び円環（２）を浄水器（４）の取付部（41）から外す。又、本考案の場合は従来のように予め蛇口（３）のパイプ径を測る必要がなくなり、且つ使用する固定リング（１'）を選んでおく必要もない。先ず、取付ナット（７）を蛇口（３）に挿入させると共に段付きリング（１）も蛇口（３）に挿入させる。そして円環（２）の上部を蛇口（３）に挿入すると共に上部内周に設けられた爪部（21）を蛇口（３）の外周及び膨張部（31）に嵌め込む。この時、円環（２）の側面全体に上溝（22）と下溝（23）を交互に穿設させているため、簡単に円環（２）の内径がより多く伸縮可能なものとなっているので、スムーズに嵌め込むことが出来る。その後、浄水器（４）を蛇口（３）に近付け、該蛇口（３）の下端面をパッキン（６）に接触させると共に、蛇口（３）に挿入された段付きリング（１）を下げてその貫通穴（11）のテーパーが円環（２）の外周に密着するようにさせ、且つ取付ナット（７）を取付部（41）のネジ部に螺合させて締め込む。すると、段付きリング（１）が下方に押されて円環（２）も押されると共に、円環（２）が内側に収縮されるので、円環（２）の爪部（21）は蛇口（３）の外周に密着するものとなり、更に前記膨張部（31）の下面がパッキン（６）を押圧するものとなるため、浄水器（４）が水漏れしないように蛇口（３）に取付けられるのである。
【００１１】
図３は本考案の作用を示す図であり、これに基づいて説明する。先ず始めに太さが１７．５ｍｍの蛇口（３）に浄水器（４）を取付ける場合について説明する。上記同様にして取付ナット（７）と段付きリング（１）及び円環（２）を浄水器（４）の取付部（41）から外し、取付ナット（７）を蛇口（３）に挿入させると共に段付きリング（１）も蛇口（３）に挿入させる。そして円環（２）の上部内周に設けられた爪部（21）を蛇口（３）の外周に嵌め込むと共にその膨張部（31）に取付ける。その後、浄水器（４）を蛇口（３）に近付け、該蛇口（３）の下端面をパッキン（６）に接触させると共に、蛇口（３）に挿入された段付きリング（１）を下げてその貫通穴（11）のテーパーが円環（２）の外周に密着するようにさせ、且つ取付ナット（７）を取付部（41）のネジ部に螺合させて締め込んで行く。すると、段付きリング（１）が取付ナット（７）によって下方へ押される。この時、段付きリング（１）も下方へ押されると共に、円環（２）が内側に収縮され、図３（ａ）に示すように円環（２）上部の爪部（21）は蛇口（３）の外周に密着すると共に膨張部（31）の上部にも密着するものとなり、更に前記円環（２）を介して膨張部（31）の下面がパッキン（６）を押圧して水漏れしないものとなるため、浄水器（４）を蛇口（３）に取付ける作業が完了するのである。
【００１２】
次に太さが１９ｍｍの蛇口（３）に浄水器（４）を取付ける場合について説明する。上記同様にして取付ナット（７）と段付きリング（１）及び円環（２）を浄水器（４）の取付部（41）から外し、取付ナット（７）と段付きリング（１）を蛇口（３）に挿入させる。また円環（２）の上部を蛇口（３）に挿入し、且つその上部内周に設けられた爪部（21）を蛇口（３）に嵌め込むと共にその膨張部（31）に取付ける。この時の円環（２）を蛇口（３）に取付ける際は、図３（ｂ）に示すように円環（２）の内径が拡張するように押し広げて取付けられる。その後、上記同様にして段付きリング（１）の貫通穴（11）が円環（２）の外周に密着させ、且つ取付ナット（７）を取付部（41）のネジ部に螺合させて締め込んで行けば、浄水器（４）を蛇口（３）に取付ける作業は完了するのである。この時、段付きリング（１）の位置は上記の１７．５ｍｍのものよりも上方に来る。又、太さが１６ｍｍの蛇口（３）に浄水器（４）を取付ける場合について説明する。上記同様にして取付ナット（７）と段付きリング（１）及び円環（２）を浄水器（４）の取付部（41）から外し、取付ナット（７）と段付きリング（１）を蛇口（３）に挿入させる。また円環（２）の上部を蛇口（３）に挿入し、且つその上部内周に設けられた爪部（21）を蛇口（３）に嵌め込むと共にその膨張部（31）に取付ける。この時の円環（２）を蛇口（３）に取付ける際は、そのまま簡単に取付けられる。その後、上記同様にして段付きリング（１）の貫通穴（11）が円環（２）の外周に密着させ、且つ取付ナット（７）を取付部（41）のネジ部に螺合させて締め込んで行くと、段付きリング（１）が下方に押され、図３（ｃ）のように円環（２）の内径を収縮したものとなる。その後、浄水器（４）が蛇口（３）に取付けられるのである。この時、段付きリング（１）の位置は上記の１７．５ｍｍのものよりも下方に来る。このように本考案の円環（２）が段付きリング（１）の押し付け具合（取付け位置）で、蛇口（３）の１６ｍｍ用,１７．５ｍｍ用,１９ｍｍ用の３種類のものに対応できるものとなるのである。
【図面の簡単な説明】
【００１３】
【図１】本考案の実施形態を示す一部切欠いた斜視図である。
【図２】本考案品と従来品の実施形態を示す説明図である。
【図３】本考案の作用を示す説明図である。
【図４】従来品を用いて蛇口に浄水器が取付けられる取付部材を示す説明図である。
【符号の説明】
【００１４】
１  段付きリング
11  貫通穴
２  円環
21  爪部
22  上溝
23  下溝
３  蛇口
４  浄水器
【図１】
0003131260.tif 000003
【図２】
0003131260.tif 000004
【図３】
0003131260.tif 000005
【図４】
0003131260.tif 000006